(57)【特許請求の範囲】
【請求項１】
時計を有し、
通常時からサマータイムへの移行時に、所定の補正時間帯を設定し、上記補正時間帯での時間の経過速度を通常の時間の経過速度よりも早く設定し、通常時からサマータイムへの移行を連続的に行い、
上記補正時間帯でのビル内の諸設備に関するデータ収集を上記時計に基づき行う
ことを特徴とするビル管理システム。
【請求項２】
時計を有し、
サマータイムから通常時への移行時に、所定の補正時間帯を設定し、上記補正時間帯での時間の経過速度を通常の時間の経過速度よりも遅く設定し、サマータイムから通常時への移行を連続的に行い、
上記補正時間帯内でのビル内の諸設備に関するデータ収集を上記時計に基づき行う
ことを特徴とするビル管理システム。
【請求項３】
ビル内の諸設備に関する補正時間帯内でのデータ収集により得られたデータを上記補正時間帯での時間の経過速度に基づき補正する
ことを特徴とする請求項１又は２に記載のビル管理システム。
【請求項４】
補正時間帯内のデータ収集で得られたデータに識別子を付し、
上記データと補正時間帯外のデータ収集で得られたデータとを区別して出力する
ことを特徴とする請求項１〜３のいずれかに記載のビル管理システム。
【請求項５】
補正時間帯内は外部からの時刻データの入力を遮断する若しくは無効として扱う
ことを特徴とする請求項１〜４のいずれかに記載のビル管理システム。
【請求項６】
通常時からサマータイムへの移行時に、所定の補正時間帯を設定し、上記補正時間帯での時間の経過速度を通常の時間の経過速度よりも早く設定し、通常時からサマータイムへの移行を連続的に行い、上記補正時間帯でのビル内の諸設備の監視又は制御を内部の時計に基づき行う
ことを特徴とするビル管理システムのサマータイム対応方法。
【請求項７】
サマータイムから通常時への移行時に、所定の補正時間帯を設定し、上記補正時間帯での時間の経過速度を通常の時間の経過速度よりも遅く設定し、サマータイムから通常時への移行を連続的に行い、上記補正時間帯内でのビル内の諸設備の監視又は制御を内部の時計に基づき行う
ことを特徴とするビル管理システムのサマータイム対応方法。
【発明の詳細な説明】
【０００１】
【発明の属する技術分野】
本発明はビル管理システムに関するものであり、特にサマータイムに対応した制御方法を実施するビル管理システム及びその方法に関するものである。
【０００２】
【従来の技術】
従来のビル管理システムでは、サマータイムに対応した制御を行っていなかった。
【０００３】
【発明が解決しようとする課題】
このように、従来のビル管理システムでは、サマータイムに対応した制御を行っていなかったため、サマータイムの運用により、絶対時刻の欠落や重複が生じる問題があった。
本発明は、このような問題を解消するためになされたものであり、通常時とサマータイムとの切り替え時に、指定時間帯での時間経過のスピードを変更し、時間の連続性を維持したまま、通常時とサマータイムとの切り替えをスムーズに実施するビル管理システム及びそのサマータイム対応方法を得ることを目的とするものである。
【０００４】
【課題を解決するための手段】
本発明にかかるビル管理システムは、時計を有し、通常時からサマータイムへの移行時に、所定の補正時間帯を設定し、補正時間帯での時間の経過速度を通常の時間の経過速度よりも早く設定し、通常時からサマータイムへの移行を連続的に行い、補正時間帯でのビル内の諸設備に関するデータ収集を時計に基づき行うものである。
【０００５】
また、本発明にかかるビル管理システムは、時計を有し、サマータイムから通常時への移行時に、所定の補正時間帯を設定し、補正時間帯での時間の経過速度を通常の時間の経過速度よりも遅く設定し、サマータイムから通常時への移行を連続的に行い、補正時間帯内でのビル内の諸設備に関するデータ収集を時計に基づき行うものである。
【０００６】
さらに、本発明にかかるビル管理システムは、ビル内の諸設備に関する補正時間帯内でのデータ収集により得られたデータを補正時間帯での時間の経過速度に基づき補正するものである。
【０００７】
また、本発明にかかるビル管理システムは、補正時間帯内のデータ収集で得られたデータに識別子を付し、データと補正時間帯外のデータ収集で得られたデータとを区別して出力するものである。
【０００８】
さらに、本発明にかかるビル管理システムは、補正時間帯内は外部からの時刻データの入力を遮断する若しくは無効として扱うものである。
【０００９】
本発明にかかるビル管理システムのサマータイム対応方法は、通常時からサマータイムへの移行時に、所定の補正時間帯を設定し、補正時間帯での時間の経過速度を通常の時間の経過速度よりも早く設定し、通常時からサマータイムへの移行を連続的に行い、補正時間帯でのビル内の諸設備の監視又は制御を内部の時計に基づき行うものである。
【００１０】
また、本発明にかかるビル管理システムのサマータイム対応方法は、サマータイムから通常時への移行時に、所定の補正時間帯を設定し、補正時間帯での時間の経過速度を通常の時間の経過速度よりも遅く設定し、サマータイムから通常時への移行を連続的に行い、補正時間帯内でのビル内の諸設備の監視又は制御を内部の時計に基づき行うものである。
【００１１】
【発明の実施の形態】
本発明によるビル管理システムの一実施形態について、図１を用いて説明する。図１は、本実施形態のビル管理システムの構成を示す構成図である。
図１において、１はビル管理装置である。２は内部時計であり、ビル管理装置１内に設けられる。３は記憶装置であり、内部時計２に接続され、ビル管理装置１内に設けられる。この記憶装置３には、各種収集データや記録データが記録される。この収集データにはスケジュール制御の時間や得られた計量値などがあり、記録データには警報に関する情報などがある。これら収集データ及び記録データは、各種制御部での制御や表示部での表示や印字部での印字等に使用される。
【００１２】
４は外部時計装置であり、ビル管理装置１に接続される。この外部時計装置４は、電波時計やラジオなどによる時報、つまり外部時間である絶対時刻に基づき動作する。５はビル内の諸設備であり、例えば受電空調等がある。このビル内諸設備５は、ビル管理装置１に接続される。そして、このビル内諸設備５に関するデータは、記憶装置３に記録される。
【００１３】
次に、図１に示す本実施形態のビル管理システムにおける通常時からサマータイムへの移行、及びサマータイムから通常時への移行について、図２を用いて説明する。図２は、本実施形態のビル管理システムにおいて、通常時からサマータイムへの移行、及びサマータイムから通常時への移行を示したタイムチャートである。
図２において、上段は通常の時間の流れである。この上段の通常の時間の流れでは、例えば「０時」、「１時」、「２時」及び「３時」と順番に時が刻まれている。
【００１４】
中段には通常の時間の流れからサマータイム制への時間の切り替えが示されている。通常の時間の流れからサマータイム制への時間の切り替えが例えば６月１日０時であるとすると、通常の時間からサマータイム制への時間の修正が補正開始日時である６月１日０時から補正終了日時である６月１日２時の間に行われる。なお、補正開始日時はＴｓ１、補正終了日時はＴｓ２であるとする。
【００１５】
つまり、通常の時間の流れからサマータイム制への時間の切り替えは、通常の時間の流れにおける「０時」を過ぎた１時間後に、つまり通常の時間であるならば「１時」を示すはずの時に、サマータイム制の「２時」に切り替わるように、つまり実質１時間しか経っていないのに２時間進んだかのように時間の更新スピードを上げ、通常の時間の流れよりも１時間早いサマータイム制の時間の流れに切り替えている。
【００１６】
下段にはサマータイム制から通常の時間への切り替えが示されている。このサマータイム制から通常の時間への切り替えが例えば１０月１日０時であるとすると、サマータイム制から通常の時間への修正が補正開始日時である１０月１日０時から補正終了日時である１０月１日１時に行われる。なお、補正開始日時はＴｅ１、補正終了日時はＴｅ２であるとする。
【００１７】
つまり、サマータイム制での時間の流れから通常の時間の流れへの切り替えは、サマータイム制での時間「１時」を過ぎた１時間後に、つまりサマータイム制での時間ならば「２時」を示すはずの時に、通常の時間の「１時」になるように、つまり実質２時間経っているはずが１時間しか進まないように時間の更新速度を遅くして、サマータイム制の時間よりも１時間遅い通常の時間の流れに切り替えている。
【００１８】
なお、通常の時間からサマータイム制への移行日時（６月１日０時）や、サマータイム制から通常の時間への移行日時（１０月１日０時）は、ビル管理装置１の記憶装置３に記憶される。
【００１９】
次に、図２に示す本実施形態のビル管理システムにおける通常時からサマータイムへの移行方法、及びサマータイムから通常時への移行方法について、図３を用いて説明する。図３は、本実施形態のビル管理システムにおいて、通常時からサマータイムへの移行方法、及びサマータイムから通常時への移行方法を示したフローチャートである。
図３において、ステップ（以下、Ｓとする。）１０１で、ビル管理装置１は、内部時計２を参照する。このＳ１０１が終了するとＳ１０２へ進む。
Ｓ１０２で、ビル管理装置１は、内部時計２を参照して得られた時刻を示す時計データがＴｓ１〜Ｔｓ２の間の時刻であるかどうか確認する。該時計データがＴｓ１〜Ｔｓ２の間にある場合はＳ１０３へ進み、そうでなければＳ１０４に進む。
【００２０】
Ｓ１０３で、ビル管理装置１は、内部時計２に置ける時間の更新速度を基準速度の２倍にする。つまり、内部時計２の進み方が、通常の２倍の速さで進むように制御する。
Ｓ１０４で、ビル管理装置１は、該時計データがＴｅ１〜Ｔｅ２の間にあるかどうか確認する。時計データがＴｅ１〜Ｔｅ２の間にある場合はＳ１０５へ進み、そうでなければＳ１０６に進む。
【００２１】
Ｓ１０５で、ビル管理装置１は、内部時計２における時間の更新速度を基準速度の１／２倍にする。つまり、内部時計２の進み方が、通常の半分の速さで進むように制御する。
Ｓ１０６で、ビル管理装置１は、内部時計２における時間の更新速度を基準速度の等倍で維持する。つまり、内部時計２の進み方が、通常の速さで進むように制御する。この通常期は、主に外部時計４による外部時間、つまり絶対時間が参照される。
なお、図３において、図２に示す部分と同一又は相当の部分には、同一符号を付してその説明を省略した。
【００２２】
次に、図２に示す本実施形態のビル管理システムにおける通常時からサマータイムへの移行時、又はサマータイムから通常時への移行時に、監視等で得られた各種データの補正方法について、図４を用いて説明する。図４は、本実施形態のビル管理システムにおいて、通常時からサマータイムへの移行中、又はサマータイムから通常時への移行中に、監視等で得られた各種データの補正方法について示したフローチャートである。
図４において、Ｓ２０１で、ビル管理装置１は、各種データを収集又は記録する時刻になったかどうか判定する。各種データを収集又は記録する時刻になっていた場合はＳ２０２へ進む。そうでなければ終了する。
【００２３】
Ｓ２０２で、ビル管理装置１は、各種データを収集又は記録する時刻がサマータイム補正時間帯、つまりＴｓ１〜Ｔｓ２又はＴｅ１〜Ｔｅ２の間にあるかどうか判定する。各種データを収集又は記録する時刻がサマータイム補正時間帯にあった場合は、Ｓ２０３へ進む。そうでなければ終了する。
Ｓ２０３で、ビル管理装置１は、収集又は記録するデータを、単位時間あたりの値に補正する。つまり、Ｔｓ１〜Ｔｓ２の間のタイミングで収集又は記録されたデータは、そのデータ値を２倍にする。また、Ｔｅ１〜Ｔｅ２の間のタイミングで収集又は記録されたデータは、そのデータ値を１／２倍にする。なお、これらの補正されたデータは、記憶装置３に格納される。
【００２４】
次に、図２に示す本実施形態のビル管理システムにおける通常時からサマータイムへの移行時、又はサマータイムから通常時への移行時に、監視等で得られた各種データの格納方法について、図５を用いて説明する。
図５は、本実施形態のビル管理システムにおいて、通常時からサマータイムへの移行中、又はサマータイムから通常時への移行中に、監視等で得られた各種データの格納方法について示したフローチャートである。
図５において、Ｓ３０１で、ビル管理装置１は、各種データを得たかどうか判定する。各種データを得た場合はＳ３０２へ進む。そうでなければ終了する。
【００２５】
Ｓ３０２で、ビル管理装置１は、該データを得た時刻がサマータイム補正時間帯、つまりＴｓ１〜Ｔｓ２又はＴｅ１〜Ｔｅ２の間にあるかどうかを判定する。該データを得た時刻がサマータイム補正時間帯にあった場合には、Ｓ３０３へ進む。そうでなければ終了する。
Ｓ３０３で、ビル管理装置１は、該データに識別子を付与する。そして、識別子が付与された各種データは、記憶装置３に記録される。
なお、この識別子の付与された各種データは、所定のマークが付されたり色替が行われたりして表示部に表示されたり、記録用紙に印刷されたりする。その結果、ビル管理システムのユーザーは補正時間帯に得られたデータを認識することが非常に簡単となる。
【００２６】
なお、上述の実施形態では、更新速度を２倍にしたり１／２倍にしたが、運用に合わせて、これ以外の倍率や任意の倍率に設定してもよい。
【００２７】
このように、本実施形態のビル管理システムは、通常時からサマータイム制への移行時又はサマータイム制から通常時への移行時に、所定の補正時間帯が設定され、該補正時間帯での時間経過の更新速度を変更させることにより、通常時からサマータイム制への移行又はサマータイム制から通常時への移行をスムーズに連続的にしている。つまり、外部時間のようにある瞬間での時間の欠落や重複を抑えている。また、所定の時間の欠落や重複の発生を抑えることにより、ビル内諸設備５の誤動作の発生や、スケジュール制御時刻や警報データの付与時刻の重複等を抑えることもできる。例えば、時間当たりの電力使用量などの計量値を測定するにあたり、通常時からサマータイム制への移行時に発生する１時間の欠落による計量値の欠測や、サマータイム制から通常時への移行時に発生する１時間の重複による通常の２倍の計量値の発生等が抑えられる。
【００２８】
つまり、本実施形態のビル管理システムは、スケジュール制御時刻や警報データの付与時刻等を、判別可能な重複しない時刻で付与し続けることができる。また、本実施形態のビル管理システムは、所定の時間の欠落を無くすことができるため、スケジュール制御に基づくプログラムの実行の欠落を防止することができる。
【００２９】
また、本実施形態のビル管理システムは、通常時からサマータイム制への移行時又はサマータイム制から通常時への移行時に、内部時計２における所定の補正時間帯での時間の経過速度を変更するとともに、その時間帯で得られる各種データのデータ値を該内部時計２の時刻に基づき得るため、単位時間当たりのデータ値を比較的容易に得ることができ、他の時間帯のデータ値と容易に比較することができる。
【００３０】
さらに、本実施形態のビル管理システムは、通常時からサマータイム制への移行時又はサマータイム制から通常時への移行時に、内部時計２における所定の補正時間帯での時間の経過速度を変更させるとともに、その時間帯で得られる各種データのデータ値を該経過速度に基づき補正するため、単位時間当たりのデータ値を比較的容易に得ることができ、他の時間帯のデータ値と容易に比較することができる。つまり本ビル管理システムでは、補正時間帯に収集したデータを実際の単位時間当たりのデータ値に換算する為、該経過速度をｎ倍にした場合、得られたデータ値もｎ倍にすることにより、単位時間当たりのデータ値が得られる。
このように、該補正時間帯で得られたデータ値、例えば電力使用量などの計量値に対しては、上述のような補正が行われるため、単位時間当たりの電力使用量が他の時間帯に対して異常に小さい値を取ったり、大きな値を取らないように修正される。
【００３１】
また、本実施形態のビル管理システムは、所定の補正時間帯に得られた各種データに対して識別子を付して記憶装置３に記録するため、表示部等に表示して参照する際に時刻変更の行われた補正時間帯のデータであることが容易に確認できる。
【００３２】
さらに、本実施形態のビル管理システムは、所定の補正時間帯において、外部時計４からの絶対時刻に基づく時刻データの入力を無効としたり入力させないため、所定の時刻の欠落や重複の発生を防止することができる。
【００３３】
【発明の効果】
本発明にかかるビル管理システムは、時計を有し、通常時からサマータイムへの移行時に、所定の補正時間帯を設定し、補正時間帯での時間の経過速度を通常の時間の経過速度よりも早く設定し、通常時からサマータイムへの移行を連続的に行い、補正時間帯でのビル内の諸設備に関するデータ収集を時計に基づき行うものであり、ある瞬間での時間の欠落や重複を抑えることができ、収集されるデータの欠落や重複を抑えることができる。
【００３４】
また、本発明にかかるビル管理システムは、時計を有し、サマータイムから通常時への移行時に、所定の補正時間帯を設定し、補正時間帯での時間の経過速度を通常の時間の経過速度よりも遅く設定し、サマータイムから通常時への移行を連続的に行い、補正時間帯内でのビル内の諸設備に関するデータ収集を時計に基づき行うものであり、ある瞬間での時間の欠落や重複を抑えることができ、収集されるデータの欠落や重複を抑えることができる。
【００３５】
さらに、本発明にかかるビル管理システムは、ビル内の諸設備に関する補正時間帯内でのデータ収集により得られたデータを補正時間帯での時間の経過速度に基づき補正するものであり、他の時間帯に収集されたデータと容易に比較することができる。
【００３６】
また、本発明にかかるビル管理システムは、補正時間帯内のデータ収集で得られたデータに識別子を付し、データと補正時間帯外のデータ収集で得られたデータとを区別して出力するものであり、補正時間帯のデータであることが容易に確認できる。
【００３７】
さらに、本発明にかかるビル管理システムは、補正時間帯内は外部からの時刻データの入力を遮断する若しくは無効として扱うものであり、ある瞬間での時間の欠落や重複を抑えることができ、収集されるデータの欠落や重複を抑えることができる。
【００３８】
本発明にかかるビル管理システムのサマータイム対応方法は、通常時からサマータイムへの移行時に、所定の補正時間帯を設定し、補正時間帯での時間の経過速度を通常の時間の経過速度よりも早く設定し、通常時からサマータイムへの移行を連続的に行い、補正時間帯でのビル内の諸設備の監視又は制御を内部の時計に基づき行うものであり、ある瞬間での時間の欠落や重複を抑えることができ、収集されるデータの欠落や重複を抑えることができる。
【００３９】
また、本発明にかかるビル管理システムのサマータイム対応方法は、サマータイムから通常時への移行時に、所定の補正時間帯を設定し、補正時間帯での時間の経過速度を通常の時間の経過速度よりも遅く設定し、サマータイムから通常時への移行を連続的に行い、補正時間帯内でのビル内の諸設備の監視又は制御を内部の時計に基づき行うものであり、ある瞬間での時間の欠落や重複を抑えることができ、収集されるデータの欠落や重複を抑えることができる。
【図面の簡単な説明】
【図１】  本発明の実施形態のビル管理装置の構成を示す構成図である。
【図２】  本発明の実施形態のビル管理装置において、通常時からサマータイムへの移行、及びサマータイムから通常時への移行の様子を示したタイムチャートである。
【図３】  本発明の実施形態のビル管理装置において、通常時からサマータイムへの移行方法、及びサマータイムから通常時への移行方法を示したフローチャートである。
【図４】  本発明の実施形態のビル管理装置において、通常時からサマータイムへの移行中、又はサマータイムから通常時への移行中に、得られた各種データの補正方法について示したフローチャートである。
【図５】  本発明の実施形態のビル管理装置において、通常時からサマータイムへの移行中、又はサマータイムから通常時への移行中に、得られた各種データの格納方法について示したフローチャートである。
【符号の説明】
１  ビル管理装置、２  内部時計、３  記憶装置、４  外部時計装置、５  ビル内の諸設備。
【図１】
0004449163.tif 000002
【図２】
0004449163.tif 000003
【図３】
0004449163.tif 000004
【図４】
0004449163.tif 000005
【図５】
0004449163.tif 000006